(57)【要約】【課題】汚れたモップを洗浄する際に生ずるモップ糸の絡みを防止して取扱いが容易となるモップ用パネルを提供する。【解決手段】木綿糸の緩やかな撚りで得られる多数のモップ糸２と、このモップ糸２を整列状態で保持する保持部３と、該保持部３に固定された柄４と前記保持部３と柄４に設けられたモップ糸２の着脱機構６からなり、本発明の２枚のパネル５ａ，５ｂはモップ糸２の整列面と概ね同じ面になるように設けるもので、汚れたモップ糸２を水で洗浄する際にこのパネル５ａ，５ｂが障壁の役割をしてモップ糸２の絡まることを防止して洗浄を容易にする。【選択図】　図１
2004129969.tif 000002
【特許請求の範囲】
【請求項１】
モップ糸を整列状態で束ねているモップの保持部から、該保持部に設けた柄の方向に前記モップ糸の整列面と概ね同じ面になるように取り付ける板材からなることを特徴とするモップ用パネル。
【請求項２】
前記板材が前記モップの保持部の長さに等しい横幅を有し、縦方向の長さがモップ糸の長さの少なくとも２／３以上の長さであることを特徴とする請求項１記載のモップ用パネル。
【発明の詳細な説明】
【０００１】
【発明が属する技術分野】
本発明は柄の付いた雑巾として知られているモップに取り付けて使用するパネルに関するもので、このモップに付設したパネルによって、モップの汚れを洗浄する際に生ずるモップ糸の絡みを防止することができるものである。
【０００２】
【従来の技術】
モップは緩やかな撚りを持ったゴク太の糸を整列保持させ、これに柄を取り付けた雑巾であって、柄を持って立ったまゝで床の拭き掃除ができるので主として、オフィス、学校、病院、ホテルその他の場所に多用されている。
従来から使用されているモップは、整列された状態のモップ糸を保持部に完全に固定したものと、整列状態に維持したモップ糸を保持部に交換可能に保持させたものとがある。
一般にこれらのモップは拭き掃除によってモップ糸が汚れたときは、専用のモップ洗浄器で洗ったのち、洗浄器に取り付けた一対のロール型の絞り機で絞って繰り返し拭き掃除に使用している。
【０００３】
【発明が解決しようとする課題】
ところが、汚れたモップを洗浄するときにモップ糸が水中に浮動することによって、個々のモップ糸が保持部を跨いだ状態で互いに絡まって洗浄を充分に行うことができず、また、この絡みによって糸の破損を招いたり、手を汚したりするというトラブルを生じ、これらによってモップの持っている便利さが帳消しになってしまう。
本発明は従来のモップと同様に使用することができると共に、モップの洗浄に際してモップ糸の絡みを生ずることなく、取扱いが有利なモップに用いるモップ用パネルを提供せんとするものである。
【０００４】
【課題を解決するための手段】
すなわち、本発明における請求項１は、モップ糸を整列状態で束ねているモップの保持部から、該保持部に設けた柄の方向に前記モップ糸の整列面と概ね同じ面になるように取り付ける板材からなることを特徴とするモップ用パネルである。
【０００５】
また、請求項２の発明は、前記板材が前記モップの保持部の長さに等しい横幅を有し、縦方向の長さがモップ糸の長さの少なくとも２／３以上の長さであることを特徴とする請求項１記載のモップ用パネルである。
【０００６】
【発明の実施の形態】
通常、モップは、所定の長さの多数のモップ糸を整列させ、一端を保持部に保持させて他端をフリーな状態としたもので、モップの種類としてモップ糸を前記保持部に着脱可能に保持させてモップ糸の交換を可能とするか、あるいは前記保持部に完全固定するかのいずれかがあるが、本発明のパネルはかゝるモップのいずれにも適用することができる。
【０００７】
モップに設ける柄は、一端を保持部の長さの中央に前記整列保持されているモップ糸の反対側に固定しているものである。
【０００８】
本発明のパネルはかゝるモップに設けるのであるが、パネルは保持部に取り付けた柄の方向に設け、好ましくはパネルの横幅をモップの保持部の長さに等しくし、また、モップ糸の整列面に対して概ね同じ面になるように取り付ける。
【０００９】
パネルの縦方向の長さは、前記保持部からのモップ糸の長さの少なくとも２／３以上の長さとすることが好ましく、これによってモップ洗浄時のモップ糸の絡みをなくすことができる。
一方、パネルの縦方向の長さが、モップ糸の保持部からの長さの２／３未満という短い場合には、パネルによるモップ洗浄時のモップ糸の絡みを防止することが難しくなり、モップ糸の絡みによる前記した取扱いの際の難渋を避けることができなくなる。
【００１０】
本発明のパネルを構成する板材としては、木質材、プラスチック、金属など特別な制限はないが、軽量、安価、取扱いの容易性などを考慮すれば、木質材やプラスチックが望ましい。
【００１１】
また、パネルの形状にも特別な制限はないが、前記保持部に接する部分を底辺とした全体が略山形状の板材、あるいは保持部に接する部分を底辺とし、柄の通る部分を頂点とする全体が略五角形状の板材などを用いることができる。
パネルを構成する板材には、表面に彫刻のような凹凸を設けたり、小孔やスリットなどを形成することは自由である。
【００１２】
【作用】
本発明のモップ用パネルは、モップにおけるモップ糸を整列状態で束ねて保持した保持部から、柄の方向に前記モップ糸の整列面と概ね同じ面になるように取り付けるもので、汚れたモップ糸を洗浄する際に、このパネルが壁の役割をなしてモップ糸がパネル前面部分で個々に揺動しているだけで絡まることがなく、したがって短時間に、しかも綺麗に洗浄することができる。
【００１３】
【実施例】
以下、実施例を掲げて本発明をさらに具体的に説明する。
＜実施例１＞
図１、図２は本発明のパネルを用いたモップの一例を示し、このモップ１は基本的にはごく太の木綿糸を緩やかに撚ることによって得られた多数のモップ糸２と、このモップ糸２を保持するための保持部３と、該保持部３に固定された柄４および２枚の板材で構成されたパネル５ａ，５ｂ、ならびに前記保持部３と柄４に設けられたモップ糸２の着脱機構６で構成されている。
【００１４】
保持部３は所定長さの断面四角な硬質素材（木質材又は硬質プラスチック）からなり、その下縁にはモップ糸２の着脱機構６を構成する掛止部７を定着することができる図示しない溝が長手方向に刻設されている。
【００１５】
一方、前記モップ糸２の着脱機構６は、金属線条体を折り曲げて先ず保持部３の下縁に沿ったモップ糸２の掛止部７を形成し、この掛止部７の両端を上方に折り曲げて前記保持部３の両側から柄４に向けて立ち上げることにより、一対の立上部８ａ，８ｂを形成し、立上部８ａ，８ｂの上端は合流して倒起可能な操作レバー９に係止されている。
図２で特に明らかなように、柄４に沿って操作レバー９を起こした状態で柄４の周囲に介在させたスプリング１０の付勢力で、掛止部７が保持部３の下縁に密着し、操作レバー９を倒すと掛止部７の保持部３の下縁への密着を解除するようになっている。
【００１６】
かゝる着脱機構６において、最初に操作レバー９を倒して保持部３との間の密着を解除した状態の掛止部７に、モップ糸２の長さの中央を掛止めしてモップ糸２を前後に振り分けて垂下させ、これらのモップ糸２の多数を掛止部７の全長に亘って整列させたのち、操作レバー９を引き起こすことによって掛止部７が保持部３の下縁に密着してモップ糸２を保持部３に保持させることができる。
これにより、モップ糸２の垂下した他端はフリーな状態となって床の拭き掃除を可能にしており、モップ糸２はかゝる着脱機構６によって交換が可能になっているものである。
【００１７】
柄４は木質材又は硬質プラスチックなどの素材で得られた比較的長尺の丸棒もしくは管体からなり、一端を保持部３の中央部に固定し他端が前記モップ糸２と反対方向に伸長されている。
【００１８】
パネル５ａ，５ｂは２枚の硬質プラスチックの板材からなり、正面の中央が上方に伸びて全体が略五角形状をなしており、この五角形状の頂上が柄４の通る部分に当たるようにして、両者のパネル５ａ，５ｂが止め具１１，１１・・によって固定されている。
この２枚のパネル５ａ，５ｂは柄４を挟んで整列されたモップ糸２の面と概ね同じ面になるようにして設けられる。
【００１９】
図１および図２において、パネル５ａ，５ｂの縦方向の長さＨは、モップ糸２の長さＬよりも短く設けられているが、この長さＬの２／３未満の低い高さにならないように設定されている。
パネル５ａ，５ｂの高さＨを、モップ糸の長さＬの２／３以上に高く設定することによりモップ１の洗浄時のモップ糸２の絡みを生じることなく、良好な洗浄が可能である。
【００２０】
このモップ１は、常法によりモップ糸２を図示しない洗浄器の水に浸し、同じくこの洗浄器に取り付けた絞り機で絞って床の拭き掃除を行うのであるが、パネル５ａ，５ｂを使用しないモップの場合には、汚れたモップ糸２の洗浄の際に、モップ１を洗浄器に浸して揺動させると、普通ならばモップ１の上下動で個々のモップ糸２が水に浮いてしまい、これに起因してモップ糸２が保持部を跨いで相互に絡まって充分な洗浄ができないのみならず、これを解きほぐすのに著しく難渋し時間もかゝるものである。
【００２１】
しかるに、図３で明らかなように本発明のパネル５ａ，５ｂを取り付けたこの実施例１のモップ１では、水中に浸漬したモップ１のパネル５ａ，５ｂが壁の役割をして、このパネル５ａ，５ｂの前面部分でモップ糸２が個々に揺動しているだけで絡まることがなく、したがって短時間に、しかも綺麗に洗浄することができるのである。
【００２２】
＜実施例２＞
図４および図５は、本発明のパネルを使用したモップの他の例を示すもので、モップ２１は前記と同様にしてごく太の木綿糸を緩やかに撚ることによって得られたモップ糸２２の多数と、このモップ糸２２の保持部２３と保持部２３に固定された柄２４及び２枚のパネル２５ａ，２５ｂとによって構成されている。
【００２３】
保持部２３は所定長さの断面四角な硬質素材からなり、この保持部２３に多数のモップ糸２２の各一端が整列状態で接着されて他端がフリーな状態で垂下して取り付けられており、これらのモップ糸２２は保持部２３に対して取り外しができないように固定されている。
【００２４】
柄２４は比較的長尺の丸棒もしくは管体からなり、一端を保持部２３の中央部に固定し他端が前記モップ糸２２と反対側に向けて伸長されている。
【００２５】
硬質プラスチックの板材からなる２枚のパネル２５ａ，２５ｂは、全体が略山形状をなし、この山形状の底辺ｘを保持部２３の長さに等しく設定し、底辺ｘに対向する山形の頂点ｙが柄２４を通る部分に当たるようにして設けられている。
また、２枚のパネル２５ａ，２５ｂは柄２４を挟んで整列されたモップ糸２２の面と概ね同じ面になるようにして設けられている。
【００２６】
図５で特に明らかなように、パネル２５ａ，２５ｂの縦方向の長さＨはモップ糸２２の長さＬよりも短く設けられているが、長さＬの２／３未満の低い高さにならないように設定されている。
パネル２５ａ，２５ｂの縦方向の長さＨを、モップ糸の長さＬの２／３以上に設定することによりモップ２１の洗浄時のモップ糸２２の絡みを生じることなく、良好な洗浄が可能である。
【００２７】
前記実施例１と同様にこのモップ２１は、常法にしたがって、モップ糸２２を図示しない洗浄器の水に浸し、同じくこの洗浄器に取り付けた、図示しない絞り機で絞って床の拭き掃除を行うのであるが、汚れたモップ糸２２を洗浄するためにモップ２１を洗浄器に浸して揺動させると、通常はモップ糸２２が保持部を跨いで相互に絡まってこれを解きほぐすのに難渋するのであるが、パネル２５ａ，２５ｂを使用したこのモップ２１はパネル２５ａ，２５ｂによってこの絡まりがおこらず、短時間で楽に、しかも綺麗に洗浄することができる。
【００２８】
【発明の効果】
以上詳述したとおり、本発明のモップ用パネルは、所定の大きさの板材からなり、このパネルをモップ糸を整列状態で束ねて保持した保持部から、柄の方向に前記モップ糸の整列面と概ね同じ面になるように設けるというすこぶる簡単な手段によって汚れたモップ糸を洗浄する際に、このパネルが壁の役割をなしてモップ糸が絡まることがなく、したがって短時間に、しかも綺麗に洗浄することができる。
【図面の簡単な説明】
【図１】本発明のモップ用パネルを使用したモップの一例を示す正面図である。
【図２】図１のモップの右側面図である。
【図３】図１のモップの作用を示す正面図である。
【図４】本発明の他のモップ用パネルの使用例を示すモップの正面図である。
【図５】図４のモップの右側面図である。
【符号の説明】
１，２１　　　　　　モップ
２，２２　　　　　　モップ糸
３，２３　　　　　　保持部
４，２４　　　　　　柄
５ａ，５ｂ　　　　　パネル
６　　　　　　　　　着脱機構
７　　　　　　　　　掛止部
８ａ，８ｂ　　　　　立上部
９　　　　　　　　　操作レバー
１０　　　　　　　　　スプリング
１１　　　　　　　　　止め具
２５ａ，２５ｂ　　　　パネル
【図１】
2004129969.tif 000003
【図２】
2004129969.tif 000004
【図３】
2004129969.tif 000005
【図４】
2004129969.tif 000006
【図５】
2004129969.tif 000007